(57)【要約】【課題】  鏝板部と柄部とが分離でき、柄部を共通化することで、持ち運びも効率的にできると共に、柄部の着脱が簡単で、またモルタル等がジョイント部分に付着しないようにする左官用の鏝を提供する。【解決手段】  鏝板部１と柄部２とを有し、鏝板部１には、先端近傍に係合部１１ａを有する軸部１１が設けられ，柄部２には、軸部１１が嵌合するジョイント部材３を有し、ジョイント部材３の中空穴３１内に配置され、軸部１１の係合部１１ａに係合する係合部材３２が設けられており、軸部１１が中空穴３１内に挿入され、係合部材３２が係合部１１ａに係合することにより、柄部２が鏝板部１と連結されると共に、係合部材３２が軸１１の係合部から離脱することで、柄部２を鏝板部１から分離可能とすることとした。【選択図】  図１
0003131101.tif 000002
【実用新案登録請求の範囲】
【請求項１】
左官材料の塗布や仕上げに用いる鏝であって、
鏝板部と柄部とを有し、
上記鏝板部の背面には、鏝板部背面から延び出し、先端近傍に係合部を有する軸部が設けられており、
上記柄部の一端部には、上記軸部が嵌合する中空穴が形成されたジョイント部材を有し、
上記ジョイント部材の中空穴内に配置され、上記軸部の係合部に係合する係合部材が設けられており、
上記軸部が上記中空穴内に挿入され、上記係合部材が上記軸部の係合部に係合することにより、上記柄部が鏝板部と連結されると共に、上記係合部材が上記軸部の係合部から離脱することで、上記柄部を上記鏝板部から分離可能とする、
ことを特徴とする左官用鏝。
【請求項２】
上記中空穴内には、上記軸部を軸方向に付勢するバネが配置されている、
請求項１記載の左官用鏝。
【請求項３】
上記軸部には係合部としての溝が形成されており、
上記ジョイント部材は、
上記軸部を保持する挿入穴が形成されたアンビルと、
上記アンビルに保持された係合部材としての鋼球と、
上記アンビルの外周に摺動可能に取り付けられ、その先端部に退避溝が形成されたスリーブと、
上記スリーブを軸方向に付勢する圧縮バネと、により構成され、
上記鋼球は、上記スリーブにより押し出されるようにして上記挿入穴に侵入し、上記軸部の溝に係合保持されると共に、
上記スリーブが圧縮バネに抗してスライドされることで、上記鋼球が上記スリーブの退避溝に退避することで、上記軸部の溝から離脱して係合を解除する、
請求項１又は２記載の左官用鏝。
【請求項４】
上記鏝は、中首鏝又は元首鏝である、
請求項１〜３のいずれかの項に記載の左官用鏝。
【考案の詳細な説明】
【技術分野】
【０００１】
この考案は、左官材料の塗布や仕上げに用いる左官用鏝であって、柄部が鏝板部と着脱可能に構成された左官用鏝に関する。
【背景技術】
【０００２】
モルタルなどの左官材料を塗布する場合、様々な鏝が用いられている。例えば、荒壁用、中塗用、仕上塗用などの種類があり、また、用途によってもレンガ鏝、目地鏝などがあり、その形状、大きさは様々なものがある。
このように、左官工事では、建築工事や塗装下地工事などの工事の種類、工程、段階、用途に応じて、異なる種類の鏝が必要なる。
そのため、左官工事をする場合には、様々な種類の左官鏝を持ち歩き、現場やその工程に応じてこれを使い分ける必要がある。
したがって、どの現場でどの鏝が必要になるか分からないため、工事をする者は様々な種類の鏝を持ち運び、その場に応じた鏝を選択して左官工事を行っていた。
【０００３】
このような場合、鏝は、通常、鏝板部に柄部が一体となった状態であるため、これを持ち運ぼうとすると、鏝を運ぶための専用の道具箱が必要となり、大変かさばって持ち運びが面倒であった。
特に、鏝は種類によって、様々な大きさ、形状のものがあるため、うまく重ねたり、組み合わせることで、かさばらずに効率的に運ぶことは大変難しかった。
【０００４】
このような問題を解決するため、鏝板背面と柄部との間に着脱可能なジョイント部を設け、このジョイント部が鏝板から延び出た軸部と嵌合し、これを工作機械用ドリルチャックにより、ハンドルで回して締め付けることで、鏝板と柄部とを固定する構造が提案されている（例えば、特許文献１参照）。
【０００５】
【特許文献１】登録実用新案３０５１６６１号
【考案の開示】
【考案が解決しようとする課題】
【０００６】
しかしながら、上述の従来の考案は、鏝板部と柄部とを分離させることはできるが、柄部を鏝板部に固定して使用する状態で、ジョイント部の締め付け用の穴や、締め付けを行うネジ部分が外部に露出するため、モルタルなどの左官材料がその部分に付着して、締め付け用の穴を埋めてしまったり、またジョイント部にモルタルなどが付着して固まり、柄部を鏝板部から取り外しできなくなってしまうという問題があった。
【０００７】
また、上述の従来の考案は、柄部を鏝板部側に取り付ける際に、工具により締め付けを行う必要があったため、簡単に鏝板部と柄部を分離させたり、組み立てることができず、大変効率が悪かった。
さらに、ジョイント部として、工作機械のドリルチャックを用いたり、またネジ止めするなどの構成を使うと、ジョイント部分の重量が大きくなり、鏝全体が重くなったり、また重心がずれ使いにくくなってしまうという問題があった。
特に、仕上げ用や、目地用の小さな鏝の場合には、これらの大きなジョイントをつけてしまうと、大変使いにくいという問題があった。
【０００８】
また、左官作業の時には、手で掴んで動かす柄部の動きと、鏝板部の動きは完全に一体となる必要があり、柄部と鏝板部とのジョイントのところに遊びがあったり、抜け落ちないようにする必要もあった。
【０００９】
本考案は上述のような問題点に鑑みてなされたもので、鏝板部と柄部とが分離でき、柄部を共通化することで、持ち運びも効率的にできると共に、柄部の着脱が簡単で、またモルタル等がジョイント部分に付着しないようにする左官用の鏝を提供することを目的とする。
【課題を解決するための手段】
【００１０】
本考案の一の観点にかかる左官用鏝は、左官材料の塗布や仕上げに用いる鏝であって、
鏝板部と柄部とを有し、上記鏝板部の背面には、鏝板部背面から延び出し、先端近傍に係合部を有する軸部が設けられており、上記柄部の一端部には、上記軸部が嵌合する中空穴が形成されたジョイント部材を有し、上記ジョイント部材の中空穴内に配置され、上記軸部の係合部に係合する係合部材が設けられており、上記軸部が上記中空穴内に挿入され、上記係合部材が上記軸部の係合部に係合することにより、上記柄部が鏝板部と連結されると共に、上記係合部材が上記軸の係合部から離脱することで、上記柄部を上記鏝板部から分離可能とすることを特徴とする。
ジョイント部材の中空穴内に、係合部と係合部材が配置されているため、作業を行ってもモルタル等の左官材料が係合部と係合部材に付着することがない。そのため、係合部材等にモルタルが付着して着脱できなくなることを防止できる。
【００１１】
上記中空穴内には、上記軸部を軸方向に付勢するバネが配置されていてもよい。
これにより、軸部が付勢されることで、係合部材が係合部に隙間なく押し付けられることで、ジョイント部のがたつきなどを減少できる。
【００１２】
また、上記軸部には係合部としての溝が形成されており、上記ジョイント部材は、上記軸部を保持する挿入穴が形成されたアンビルと、上記アンビルに保持された係合部材としての鋼球と、上記アンビルの外周に摺動可能に取り付けられた、その先端部に退避溝が形成されたスリーブと、上記スリーブを軸方向に付勢する圧縮バネと、により構成され、上記鋼球は、上記スリーブにより押し出されるようにして上記挿入穴に侵入し、上記軸部の溝に係合保持されると共に、上記スリーブが圧縮バネに抗してスライドされることで、上記鋼球が上記スリーブの退避溝に退避することで、上記軸部の溝から離脱して係合を解除するようにしてもよい。
これにより、別途工具などがなくとも、簡単に鏝板部と柄部とを着脱することができるし、またジョイント部を簡単な構成とすることで、軽量化することができる。
【００１３】
また、上記鏝は、中首鏝又は元首鏝のいずれでもよい。
【考案を実施するための最良の形態】
【００１４】
以下、本考案にかかる実施形態の一例を、図面を参照して説明する。
図１、図２において、本考案の鏝は、鏝板部１と、柄部２と、鏝板部１と柄部２とを着脱可能に取り付けるジョイント部３を有している。
【００１５】
鏝板部１は、左官材料を塗りつけるためのものであり、この鏝板部１は、平面状に形成されている。
また、鏝板部１の作用面とは反対の背面側には、背面から垂直に立ち上がるように延び出した六角形状の軸部１１が形成されている。
この軸部１１は、その高さ方向の中央部外周全体に環状溝１１ａが形成されている。また軸部１１の上端部は、面取りがされている。
【００１６】
柄部２は、鏝板部１と略平行で、鏝板部１の長手方向に平行に取り付けられる。
柄部２は、横長の円柱状に形成されており、木やプラスチックなどの適宜の材料にて形成することができる。
この柄部２の形状は、作業者が持ちやすいように、円柱状としても良いし、また角柱状としてもよく、形状は任意である。
【００１７】
ジョイント部３は、柄部２から下方に延びだすように取り付けられている。
このジョイント部３には、図３に示すように、軸１１を保持する挿入穴３１が形成されたアンビル３０と、鋼球３２と、アンビル３０の外周に摺動可能に取り付けられたスリーブ３３、一端を止め輪３４に係止されスリーブ３３を付勢する圧縮バネ３５により構成されている。
【００１８】
アンビル３０には軸１１の六角軸に対応した六角孔とした挿入穴３１が形成され、この挿入穴３１に軸１１が挿入されるようになっている。
この挿入穴３１内には、径方向に対向するようにして保持孔が形成され、この保持孔内に鋼球３２が配置されている。この鋼球３２は、アンビル３０の保持孔内に配置されると共に、アンビル３０の外周に配置されたスリーブ３３によって、挿入穴３１内に出没可能に保持され、これにより鋼球３２の一端部が軸１１の環状溝１１ａ内に係合するように構成されている。
なお、アンビル３０の保持孔の径は、鋼球３２が挿入穴３１に脱落しないように適宜設定されている。
また、挿入穴３１の上端と軸１１との間には、バネ４０が配置されている。このバネ４０により、軸１１が挿入穴３１に挿入された際に、バネ４０により軸１１を下方に付勢する。これにより、環状溝１１ａが下方に付勢され、鋼球３２の動きを規制することで、遊びができることを防止し、柄部２が鏝板部１に対してぐらつくことがないようにしている。
【００１９】
スリーブ３３は、アンビル３０の外周に摺動可能に取り付けられており、止め輪３４との間に介在された圧縮バネ３５によって、常に下方に付勢されている。
これにより、スリーブ３３の内周により鋼球３２が挿入穴３１に突出した位置に保持されるようになっている。
また、スリーブ３３の下端内周部には、環状の溝３３ａが形成されており、このスリーブ３３が上側にスライドされることで鋼球３２が溝３３ａ内に退避し、鋼球３２と軸１１の環状溝１１ａとの係合が解除されるようになっている。
【００２０】
次に、鏝板部１と柄部２との着脱方法について説明する。
まず、鏝板部１に柄部２を取り付ける場合は、圧縮バネ３５の付勢力に抗してアンビル３０を上側に操作する。これにより、鋼球３２が保持孔及び溝３３ａに退避した状態となり、この状態で軸１１がバネ４０の付勢力に抗して挿入穴３１に嵌め込まれる。
この状態で、アンビル３０の操作を解放すると、圧縮バネ３５の付勢力により、スリーブ３３が下方にスライドする。スリーブ３３の移動により、鋼球３２がスリーブ３３の溝３３ａ内から挿入穴３１内に押し出され、鋼球３２の一端部が軸１１の環状溝１１ａに嵌り込んで抜け止めされ、圧縮バネ３５の付勢力によりその状態が保持される。
また、この状態では、軸１１は、その上端部がバネ４０により下方に付勢された状態となる。
【００２１】
また、鏝板部１から柄部２を取り外す場合は、スリーブ３３を圧縮バネ３５の付勢力に抗してアンビル３０の上側に操作し、スリーブ３３の溝３３ａに鋼球１２が嵌り込むようにする。
これにより、鋼球３２は保持孔及び溝３３ａ内に退避可能な状態となり、鋼球３２が環状溝１１ａから離脱することで、軸１１がアンビル３０の挿入穴３１から抜き取り可能となる。
【００２２】
このように、上述の実施形態によれば、柄部２と鏝板部１とを装着するには、軸１１を挿入穴３１に挿入することで、軸１１の環状溝１１ａに鋼球１２が嵌り込んで抜け止めされるので、ワンタッチで装着が可能となる。
また、柄部２と鏝板部１とを装着した状態では、バネ４０により、軸１１が下方に付勢されることにより、同時に環状溝１１ａが鋼球３２を下方に付勢することで、鋼球３２の動きを規制することができる。これにより、ジョイント部３で遊びができることを防止し、柄部２が鏝板部１に対してぐらつくことがないようにできる。
【００２３】
また、軸１１を挿入穴３１内に挿入して、挿入穴３１の内周で軸１１を固定することから、鏝を使用しているときに、固定部分が外部に露出することがなくなる。そのため、モルタル等の左官材料がこの固定部に付着して固まり、柄部２と鏝板部１を取り外せなくなるということを防止できる。
【００２４】
また、ジョイント部３を小型化、軽量化することができるため、鏝の重心がずれて作業効率が低下したり、また鏝の重さが重くなることで作業者が疲れてしまうことを防止できる。
【００２５】
上述の実施形態では、本考案を中首鏝に適用した例について説明したが、これに限定されることはなく、図４、図５に示すように元首鏝にも適用することができる。
この場合も、ジョイント部３は、同様な構成であり、上述の実施形態と同様の構成については、同一の符号を付して説明を省略する。
これによっても、上述の実施形態と同様な効果を奏することができる。
【００２６】
また、中首鏝の場合でも、図６に示すように軸を２本取り付け、それぞれの軸に対してジョイント部３を適用することができる。
【００２７】
本考案は、上述の例に限定されるものではなく、図７に示すように、中首鏝（中途用１０１、上塗用１０２、面引用１０３、角鏝１０４、木鏝１０５）、元首鏝（面引用１１１、丸面引用１１２、平目地用１１３、四半柳刃１１４、れんが鏝１１５）などの、種々の左官用鏝に適用することができる。
【図面の簡単な説明】
【００２８】
【図１】本考案にかかる左官用鏝を中首鏝に適用した一の実施形態を示した斜視図。
【図２】本実施形態にかかる鏝の柄部と鏝板部とを分離した状態をしめす斜視図。
【図３】本実施形態にかかるジョイント部の断面図。
【図４】本考案にかかる左官用鏝を元首鏝に適用した一の実施形態を示した斜視図。
【図５】本実施形態にかかる鏝の柄部と鏝板部とを分離した状態をしめす斜視図。
【図６】本考案にかかる左官用鏝を元首鏝に適用した別の実施形態を示した斜視図。
【図７】鏝の種類を説明するための斜視図。
【符号の説明】
【００２９】
１        鏝板部
２        柄部
３        ジョイント部
１１      軸
１１ａ    環状溝
３０      アンビル
３１      挿入穴
３２      鋼球
３３      スリーブ
３３ａ    溝
３４      止め輪
３５      圧縮バネ
４０      バネ
【図１】
0003131101.tif 000003
【図２】
0003131101.tif 000004
【図３】
0003131101.tif 000005
【図４】
0003131101.tif 000006
【図５】
0003131101.tif 000007
【図６】
0003131101.tif 000008
【図７】
0003131101.tif 000009